(57)【要約】      （修正有）【課題】日常的に出し入れする文具等の小物収納物を、自由にかつ適切に収納することのできる小物収納具を提供する。【解決手段】根元に突起２を設けた、小物収納物に対応する収納支持具３を介し、小間隔で群設させた小円筒孔１の位置に自由に収納する。収納支持具３は、主にペン等の小物収納物をその中に立てて収納するのに使用するが、大口径とすれば糊やホチキスや字消しテープやライター等も収納でき、わずかな筒の立ち上がりとすれば醤油さし瓶等の位置指定置き場としての利用もできる。【選択図】図１
2012062115.tif 000002
【特許請求の範囲】
【請求項１】
概平滑な台板上に小間隔で群設させた直径２〜５ｍｍ程度の小円筒孔と、この孔に嵌着立設できる突起を根元に設けた各種の収納支持具とで構成する小物収納具。
【発明の詳細な説明】
【技術分野】
【０００１】  本発明は、日常的に出し入れする文具等の小物を、根元に突起を設けた対応収納支持具で、群設させた任意の小円筒孔位置に自在に収納することのできる小物収納具に関するものである。
【背景技術】
【０００２】  文具等の小物は、必要時に素早くかつ使用し易い状態で取り出せれば作業能率を大幅に向上できる。そのためには、収納物に応じた形状の収納具を希望の位置に、希望の状態で自由に配置できれば理想的である。【０００３】  文具等の小物を収納する手段として、従来は収納物の規格以上のサイズの収納具を固定的に設けたり、大きな容器等に混同収納していた。
【発明の概要】
【発明が解決しようとする課題】
【０００４】  固定的な収納手段では、収納物の形状やサイズが変わると適切に収納できず、収納位置も自由に変更できず、混同収納では探し出すのにも時間を要し、使用し易い状態で収納するのが難しかった。例えば、大きな筒のペン立てなら、収納場所の節約はできるが、混同収納されているので、必要なペンを探すのに時間を要し、短いペンは隠れてしまって不満だし、糊や字消しテープ、粘着テープ、クリップ等は一緒に収納できなかった。ペン皿では、必要なペンを探すのに時間を要するのは上記と同じだが、取り出してから持ち替えなければ使用できず、平面に配置するので、引き出しに入れる場合はやむをえないが、設置面積が大きくなる。【０００５】  また、独立したペン立てなら、収納筒が台と一体となった既定サイズとなっており、自由な太さのペンを立てることができず、ペン１本に対しては大きな収納場所を必要とした。本発明はこれらの問題を解決しようとするものである。
【課題を解決するための手段】
【０００６】  概平滑な台板上に小間隔で群設させた直径２〜５ｍｍ程度の小円筒孔１と、この孔に嵌着立設できる突起２を根元に設けた各種の収納支持具３とで構成した。収納支持具は収納物に応じた任意のサイズと形状とし、小円筒孔を設けた任意位置に自在に嵌着立設できる。図２〜６に収納支持具例の斜視図を示す。【０００７】  小円筒孔と収納支持具の突起は、手で収納支持具を押し込んで嵌着した時、無抵抗では引き抜けない強さで挟止される材質とサイズとする。具体的には、どちらかまたは両方の材質を弾性率の高いポリプロピレン樹脂等で作るとともに、小円筒孔直径より突起直径を僅かに大きくして、突起を嵌着した時、小円筒孔を僅かに押し広げるか、突起を縮小させることにより、突起が円筒孔に挟止されるサイズとする。【０００８】  よりスムーズに嵌着させるには、小円筒孔か突起または両者の断面に、相互を迎合できるべく僅かなテーパーをつけておくと良い。
【発明の効果】
【０００９】  本発明は、任意な小物収納物を、適合した収納支持具で、任意な詳細位置に自由に配置収納でき、構造が簡単なため安価で製造でき、色やデザインも自由に組み合わせて使用できるので視覚効果も楽しめる。また、収納物が無くなれば、収納支持具を引き抜いておけば、小孔しか残らないので、作業環境をより快適に設定できる。【００１０】  収納支持具は、嵌め込んで設置するから、単に差し込む方式とは異なり、ぐらつくこともないので、突起および小円筒孔の径を小さくかつ短くすることができ、結果として、孔を小間隔で配置できるので、収納物の位置を詳細に設定できる。【００１１】  また、小円筒孔を適宜なサイズの移動可能な台板上に設ければ、その上に設置した収納物を一括して自由に移動できる。また、小円筒孔を台板の裏まで貫通して設けた場合は、その孔を利用して裏面から台板滑り止め足具をつけることができ、勾配調整足具を使えば台板を傾けて使用でき、吊り下げ具を使えば紐等で吊り下げて壁掛としても使用できる。図７に移動可能な台板形状例の平面図を示し、図８及び図９に移動可能な台板の立体利用例を示す。
【図面の簡単な説明】
【００１２】
【図１】  基本構成の断面図
【図２】  収納支持具例の斜視図（１）
【図３】  収納支持具例の斜視図（２）
【図４】  収納支持具例の斜視図（３）
【図５】  収納支持具例の斜視図（４）
【図６】  収納支持具例の斜視図（５）
【図７】  移動可能な台板の平面形状例平面図
【図８】  移動可能な台板の傾斜利用例の側面図
【図９】  移動可能な台板の吊り下げ利用例の側面図
【発明を実施するための形態】
【００１３】  収納支持具は、収納物に合わせて各種作れば良いが、図２で円筒型、長円筒型、多角筒型、図３で槍先型、蕪頭型、立柱型、図４で仕切り門型、仕切り懸架門型、図５で額縁型、メモ立て型、カゴ型、図６で傾斜角調整型例を示す。
【００１４】  図２の筒型支持具は、主にペン等の小物収納物をその中に立てて収納するのに使用するが、大口径とすれば糊やホチキスや字消しテープやライター等も収納でき、わずかな筒の立ち上がりとすれば醤油さし瓶等の位置指定置き場としての利用もでき、ナイフ等で切って好みの高さに調整できる材質と厚みとすると更に便利だ。
【００１５】  図３の槍先型は、小物収納物の根元に下から差し込んで収納するのに使用し、従来から生け花に使われている剣山の代用として利用でき、各種サイズを取り揃えておけば剣山よりも便利に利用できる。槍先の断面形状は、丸や多角形等とすれば良く、多角形とすれば花の廻り込みを防げる。材質を金属とすれば、自由に曲げられるので、傾けて生ける花にも利用できる。
【００１６】  図３の蕪頭型は、主にＣＤ盤や粘着テープ等の中央に一定サイズの円孔のある小物の収納に使用するが、支柱があるので、板状収納物を立てかけて収納するのにも使用できる。また、支柱を継ぎ足し型とすれば、好みの高さで使用できる。
【００１７】  図３の立柱型は、輪ゴムや粘着テープ等のリング状の小物収納物や、コップ等を被せて収納するのに利用できる。また、皿等を重ねて収納する場合に、収納物の外側に立てて囲いとして使用できる。立柱間隔を自由に変更できるので、収納物のサイズに自在に対応できる。
【００１８】  図４の仕切り門型は、本立てでのブックエンドと同じ効果で、板状の収納物を立て置きするのに使用する。文具では、伝票や電卓、ＣＤ盤ケース、ハガキ、三角定規、本等を収納できる。面内に挟み板を付ければ、クリップ等を挟んで収納しておくのにも便利だ。
【００１９】  図４の仕切り懸架門型は、仕切り門型の上部を水平にして滑り止め用の溝を付けたもので、メガネ、コンパス、爪切り、ホチキス、ヒモ等で、吊り下げて収納しておくと便利な収納物に使用でき、仕切り門型としての役割も果たす。
【００２０】  図５の額縁型は、字義の通り写真等を掲示する額縁で、前後に角度が調整できる構造とすると良い。
【００２１】  図５のメモ立て型は、メモ用紙を立てるのに使用する。自由な用紙サイズに対応すべく横側も開放する形式とし、用紙が飛び出さないように傾斜をつけると良い。
【００２２】  図５のカゴ型は、クリップやピン、消しゴム等の小さいものを入れておくのに便利だ。２段式にしているので空間の有効利用ができる。
【００２３】  図６の傾斜角調整型は、収納支持具を個別に傾斜して設置したいペン立て等に使用し、収納支持具の根元部分をヒンジ構造とする。単にピンで結合する方法と、収納支持具根元に球をつけ、この球を弾性筒で挟止させてヒンジ構造とする方法がある。どちらも、支持台部を弾性材で作れば、物が当った場合の衝撃を緩衝できる。
【符号の説明】
【００２４】１    小円筒孔
２    突起
３    収納支持具
４    台板
５    挟み板
６    ヒンジ構造
７    滑り止め足具
８    勾配調整足具
９    床面
１０  壁面
１１  吊り下げ具
１２  紐等
【図１】
2012062115.tif 000003
【図２】
2012062115.tif 000004
【図３】
2012062115.tif 000005
【図４】
2012062115.tif 000006
【図５】
2012062115.tif 000007
【図６】
2012062115.tif 000008
【図７】
2012062115.tif 000009
【図８】
2012062115.tif 000010
【図９】
2012062115.tif 000011